(57)【要約】【課題】  買い物袋等として使用するに適した袋であって、不使用時にコンパクトに折り畳んで収納することができるものを提供すること。【解決手段】  開口の左右両側に把手が設けられた柔軟な袋本体と、該袋本体を折り畳んで収納できるポケットとを備え、前記ポケットは、上下に長い背布の表面に該背布よりも短い前布を重ね会わせて両側部と底部を縫着することにより、背布の上下中間部に開口を有するポケットとして形成され、前記背布の上端部が袋本体の開口縁部に固定されて、前記ポケットの開口が、当該背布と袋本体を構成するシートとの間に隠れるように吊り下げられている袋。前記ポケットには、収納した袋本体の逸脱を防止する固定手段として、ボタンとゴム紐が設けられている。【選択図】  図１
2008229142.tif 000002
【特許請求の範囲】
【請求項１】
上端部が開口する柔軟な袋本体と、該袋本体を折り畳んで収納できるポケットとを備え、前記ポケットは、上下に長い背布の表面に該背布よりも短い前布を重ね合わせてその側部と底部を固着することにより、背布の上下中間部に開口部を有するポケットとして形成され、前記背布の上端部を袋本体の開口縁部に固定することにより、前記ポケットの開口部が、背布と袋本体を構成するシートとの間に隠れるように袋本体内に吊り下げられていることを特徴とする袋。
【請求項２】
袋が、一対の把手を備えた手提げ袋であり、前記ポケットが一対の把手の左右中間部に吊り下げられている請求項１に記載の袋。
【請求項３】
ポケットには、その内部に収納した袋本体の逸脱を防止する固定手段が設けられている請求項１または２に記載の袋。
【発明の詳細な説明】
【技術分野】
【０００１】
本発明は、買い物袋等として使用するに適した携帯用の袋に関するものである。
【背景技術】
【０００２】
スーパーマーケット等で買い物をした場合は、商品を薄い合成樹脂シート製の袋に入れて持ち帰っている。この種の袋は、使い捨ての袋であり、スーパーマーケットがサービスとして提供しているが、最近、環境保全や省資源の見地から、上記使い捨ての袋の代わりに、客がそれぞれ専用の買い物袋を持参して買い物をする傾向が強くなっている。
【０００３】
スーパーマーケット等で使用する買い物袋は、濡れたり汚れたりすることが多いので、ポリエステル等の柔軟な合成樹脂シートで製作されているものが多く、袋の左右または前後に１対の手提げ用把手が一体成形されているものが一般的である。
【０００４】
この種の買い物袋は、不使用時には、コンパクトに折り畳んでおくことができるものが好ましく、このために種々の工夫がなされている。例えば、下記特許文献１に記載されているものは、袋本体に少なくとも２つの外ポケットと少なくとも２つの内ポケットを設けたもので、不使用時には、袋本体を折り畳んで上記ポケットに収納することができるとされている。また、下記特許文献２に記載のものは、袋ではなく、ウエアであるが、これも不使用時に折り畳んでコンパクトに収納することのできるポケットが設けられているものである。
【０００５】
【特許文献１】特開平１１−１８８１５号公報
【特許文献２】特開平１１−８１０１８号公報
【発明の開示】
【発明が解決しようとする課題】
【０００６】
上記特許文献１に記載のものは、少なくとも２つの外ポケットと、少なくとも２つの内ポケットを設けたものであるから、構造的に複雑であり、コストも高くつくので、手軽に使用する安価な買い物袋として適しているとはいい難い。また、内外に多数のポケットを設けると、収納する物品が出し入れの際に引っ掛るので、出し入れに手間がかかるという問題点もある。
【０００７】
また、上記特許文献２に記載のものは、ジャケットに左右一対の矩形のポケットを設け、これら一対のポケットの周囲に互いに噛合・離脱自在なスライドファスナーを設けたものであり、これら一対のポケットの間にジャケット本体を折り畳んで収納するものであるが、これも構造的に複雑であり、収納に手間がかかるという問題点がある。
【０００８】
そこで、本発明は、構造的により簡単で、収納や展開の手間がそれほどかからない便利な折り畳み式袋を提供することを課題としている。
【課題を解決するための手段】
【０００９】
上記課題を解決するために、本発明は次のような構成とした。すなわち、本発明に係る袋は、上端部が開口する柔軟な袋本体と、該袋本体を折り畳んで収納できるポケットとを備え、前記ポケットは、上下に長い背布の表面に該背布よりも短い前布を重ね合わせてその側部と底部を固着することにより、背布の上下中間部に開口部を有するポケットとして形成され、前記背布の上端部を袋本体の開口縁部に固定することにより、前記ポケットの開口部が、背布と袋本体を構成するシートとの間に隠れるように袋本体内に吊り下げられていることを特徴としている。
【００１０】
上記袋は、一対の把手を備えた手提げ袋として構成され、該一対の把手の左右中間部に前記ポケットが吊り下げられているものが好ましい。また、前記ポケットには、袋本体を収納した状態で、該袋本体が逸脱しないように固定する固定手段を設けておくのが好ましい。
【発明の効果】
【００１１】
本発明に係る袋は、一つのポケットを袋本体に設けたもので、不使用時には、袋本体を折り畳んでこのポケット内にコンパクトに収納することができるので、持ち運びや保管に便利である。また、物品を入れる袋としての使用時には、袋本体をポケットから取り出して簡単に本来の大きさに広げることができるので、必要な収納量を確保することができる。前記ポケットは、袋本体内部に吊り下げた状態で設けられていて、しかもポケットの開口部が袋本体の収容空間側に向かず、袋本体を構成するシート側に面しており、ポケットの開口部が背布と袋本体のシートとの間に隠れた状態となっているので、袋本体に物品を収納する場合に邪魔にならず、物品が引っ掛かったりするおそれがない。このため、円滑に物品を出し入れすることができる。なお、袋本体を広げた使用時には、外側からポケットが見えないので、外観的にもすっきりとしている。
【発明を実施するための最良の形態】
【００１２】
以下、本発明の実施形態について具体的に説明する。図１は、本発明の袋の１例としての手提げ袋を表すもので、この手提げ袋１は、袋本体２とポケット５とを備えている。袋本体２は、左右両端部にそれぞれ把手３となる張出部が一体に形成された２枚の布（シート）を重ね合わせ、それらの側部と底部、及び把手の上端部をそれぞれ縫い合わせてなり、上に開口している。把手３は、布（以下「シート」という）を折り曲げて重ねた２重状態となっており、把手３の下側の部分、すなわち袋本体２の側縁部も、シートが把手３と共に折り重ねられ、シートの端部同士が縫い合わされている。このため、袋本体２の側縁部にプリーツ状の折り目（襞）９が形成され、伸縮可能で、袋の内容積を拡大できるようになっている。袋本体２の材質は、折り畳み可能な柔軟なシートであり、耐水性に優れ、汚れにくいポリエステル等の合成樹脂シートを使用するのが好ましい。２枚のシートを縫い合わせた部分には、強度を高めるために、例えば袋本体と同じ材料の縁材８が縫い付けられている。
【００１３】
前記ポケット５は、背布５１と前布５２を重ね合わせて、その両側部及び底部を互いに縫い付けてなる。前布５２の上端部がポケットの開口（入口）５ａとなっている。背布５１は上下に長く、前布５２はそれよりも短いため、ポケットの開口（入口）５ａが背布５１の上下中間部に位置していて、背布５１はそれよりも上方へ伸びている。
【００１４】
前記ポケット５は、袋本体２の内側に取り付けられている。この取り付けは、開口５ａが袋本体２を構成する一方のシート２ａに面するように、背布５１の上端部を袋本体２の上縁部に縫い付けることにより行われている。このため、吊り下げ状態では、ポケット５の開口５ａは露出せず、袋本体２のシート２ａと背布５１との間に隠れた状態となっている。
【００１５】
ポケット５には、袋本体２を収納した状態での固定手段として、ボタン６とゴム紐７が設けられている。ボタン６は、前布５２の外面上縁部に縫い付けられており、ゴム紐７は、前記ボタンの縫い付け部からループ状にぶら下げられている。ループ状のゴム紐７をポケット５の巻付けて、該ゴム紐７の湾曲部をボタン６に引っ掛けることにより、ポケット５内の袋本体２が逸脱しないように固定される。
【００１６】
この手提げ袋１の不使用時には、袋本体２を折り畳んでポケット５内に収納することができる。図４〜７はその手順を表すもので、収納に際しては、図１、図７（ａ）に示すように、袋本体２内に吊り下げられているポケット５を、図４及び図７（ｂ）に示すように、背布５１の縫い付け部１０を中心に１８０度反転させ、袋本体２内から外側に取り出す。つぎに、左右両側の把手３，３を下向きに折り曲げて袋本体の布状に重ね合わせ、ついで、袋本体の両側部を把手ごと内側に折り曲げて幅をポケット５の開口５ａに入る大きさとする（図５）。しかるのち、袋本体２を図６に示すように長手方向に数回折り曲げることにより、全体の長さを、ポケット５内に収納できる長さとし、全体をポケット５内に押し込む。これにより、袋本体２が丸められた状態でポケット５内に収納され、その上から背布５１が被さった状態となる。
【００１７】
袋本体２を丸めた状態でポケット５内に収納したら、ボタン６の基部に取り付けられているゴム紐７を該ポケット５の周囲に巻付けて、先端の湾曲部分（Ｕ字状部分）をボタン６に引っ掛ける。これにより、袋本体を収納したポケットの外周部がゴム紐７によりしっかりと固定される。（図８、図９）
【００１８】
このように、十分な広さを持つ袋本体２を付属の小さなポケット５にコンパクトに収納することができるので、不使用時の保管や買い物等における持参にきわめて便利である。この収納に際しては、ポケット５を袋本体２内から外に取り出し、袋本体２を適当に折り畳んでポケット内に押し込んでゴム紐７で固定するだけでよいので、袋本体の拡縮操作は簡単である。
【００１９】
一方、この手提げ袋１を物品を入れて運ぶために使用する場合は、上記袋本体２を収納したポケット５の固定手段であるゴム紐７の湾曲部をボタン６から外し、ポケット５内から袋本体２を引き出して広げればよい。空になったポケット５は、図１および図７（ａ）に示すように、袋本体２内に吊り下げておく。
【００２０】
以上の説明では、本発明の袋を買い物用の手提げ袋を例にとって説明したが、持ち運びに便利なようにコンパクトに折り畳めることを特徴とするものであるから、他の用途の袋であってもよく、場合によっては手提げ用の把手のないものであってもよい。また、ポケット５から収納した袋本体２が逸脱しないように固定する固定手段としては、上記のようなボタン６とゴム紐７の組み合わせを用いるのが簡単で便利であるが、他の固定手段、例えば布チャック（面ファスナー）やスナップファスナー等を採用することもできる。布チャックを固定手段として用いる場合は、一方のチャックを背布側に設け、他方のチャックを前布側に設けておけばよい。
【産業上の利用可能性】
【００２１】
本発明に係る拡縮可能な袋は、合成樹脂シート等を用いて工業的に製作できるもので、買い物袋等として使用するに適したものである。
【図面の簡単な説明】
【００２２】
【図１】本発明に係る袋の正面図である。
【図２】その一部断面側面図である。
【図３】袋本体の横断面図である。
【図４】ポケットを袋本体から取り出した状態を表す外観図である。
【図５】袋本体を折り畳んで幅を狭くした状態を表す外観図である。
【図６】袋本体を折り畳んでポケットに収納する過程を表す外観図である。
【図７】ポケットを袋本体内に吊り下げた状態（ｂ）と袋本体該へ取り出した状態（ｂ）を表す側面図である。
【図８】袋本体をポケットに収納して固定した状態を表す正面図である。
【図９】袋本体をポケットに収納して固定した状態を表す側面図である。
【符号の説明】
【００２３】
１        袋
２        袋本体
３        把手
５        ポケット
６        ボタン
７        ゴム紐
５１        背布
５２        前布
【図１】
2008229142.tif 000003
【図２】
2008229142.tif 000004
【図３】
2008229142.tif 000005
【図４】
2008229142.tif 000006
【図５】
2008229142.tif 000007
【図６】
2008229142.tif 000008
【図７】
2008229142.tif 000009
【図８】
2008229142.tif 000010
【図９】
2008229142.tif 000011